(57)【要約】【課題】スイッチの数を減らすと同時に発熱を減少させることができるようにしたプラズマ表示装置を提供する。【解決手段】複数の走査電極及び維持電極を含むプラズマ表示装置において、前記走査電極それぞれに接続されて第1端に供給される電圧と第2端に供給される電圧を前記走査電極に選択的に印加する選択回路と、サステイン電圧源及び前記選択回路に接続されて、前記走査電極にサステインパルスを供給するためのエネルギー回収回路と、前記選択回路に接続されて、前記走査電極に上昇ランプパルス、下降ランプパルス及びスキャンパルスを供給するための駆動部と、電流の流れを制御するための制御トランジスタを含み、前記制御トランジスタは、前記エネルギー回収回路に含まれて前記サステイン電圧を前記選択回路に供給するための第2トランジスタと、基底電圧源の電圧を前記選択回路に供給するための第1トランジスタの間に位置する。【選択図】図５
2008129570.tif 000002
【特許請求の範囲】
【請求項１】
複数の走査電極及び維持電極を含むプラズマ表示装置において、
前記走査電極それぞれに接続されて第1端に供給される電圧と第2端に供給される電圧を前記走査電極に選択的に印加する選択回路と、
サステイン電圧源及び前記選択回路に接続されて、前記走査電極にサステインパルスを供給するためのエネルギー回収回路と、
前記選択回路に接続されて、前記走査電極に上昇ランプパルス、下降ランプパルス及びスキャンパルスを供給するための駆動部と、
電流の流れを制御するための制御トランジスタを含み、
前記制御トランジスタは、前記エネルギー回収回路に含まれて前記サステイン電圧を前記選択回路に供給するための第2トランジスタと、基底電圧源の電圧を前記選択回路に供給するための第1トランジスタの間に位置することを特徴とするプラズマ表示装置。
【請求項２】
前記駆動部は、
前記上昇ランプパルスを供給するための第1駆動部と、
前記下降ランプパルス及びスキャンパルスを供給するための第2駆動部と、
を備えることを特徴とする請求項１記載のプラズマ表示装置。
【請求項３】
前記エネルギー回収回路は、
前記走査電極及び維持電極によって等価的に形成されるパネルキャパシタからエネルギーを回収して充電するソースキャパシタと、
前記ソースキャパシタに充電された電圧を前記パネルキャパシタに供給する時ターンオンされる第3トランジスタと、
前記パネルキャパシタからエネルギーが回収される時ターンオンされる第4トランジスタと、
前記パネルキャパシタと空振回路を形成するインダクターを備えることを特徴とする請求項１記載のプラズマ表示装置。
【発明の詳細な説明】
【技術分野】
【０００１】
本発明はプラズマ表示装置に関し、特に、スイッチの数を減らすと同時に発熱を減少させることができるようにしたプラズマ表示装置に関する。
【背景技術】
【０００２】
プラズマ表示装置の上部基板には、走査電極及び維持電極が形成されて、上部基板と対向する下部基板には走査電極及び維持電極と直交する方向にアドレス電極が形成される。
このようなプラズマ表示装置の一フレームは、所定の加重値を持つ複数のサブフィールドに分割されて駆動される。それぞれのサブフィールドはリセット期間(Reset  Period)、アドレス期間(Address  Period)、及びサステイン期間(Sustain  Period)でなる。
【０００３】
リセット期間の間には走査電極にランプパルスを供給して次のアドレス放電が安定的に行なわれるように所定の壁電荷を形成する。アドレス期間の間には走査電極にスキャンパルスを順次に供給して、アドレス電極にデータパルスを供給する。すると、データパルスが供給された放電セルでアドレス放電が発生して所定の壁電荷が形成される。
【０００４】
サステイン期間の間には走査電極及び維持電極にサステインパルスを交番的に供給してアドレス放電によって選択されたセルでサステイン放電が起きるようにする。ここで、サステイン放電が起きる回数に対応して所定輝度の画像がパネルで表示される。このような従来のプラズマ表示装置には走査電極に所定の駆動波形を供給するための走査駆動部が含まれる。
【０００５】
図１は、従来の走査駆動部を示す図面である。図１において、パネルキャパシタCpは走査電極Yと維持電極Xによって形成される容量性成分を等価的に表現したものである。また、維持電極Xは維持駆動部(図示せず)に接続されるが、説明の便宜性のために基底電圧源GNDに接続されることを示す。
【０００６】
図１を参照すれば、従来の走査駆動部は走査電極Yそれぞれに接続される選択回路110、上昇ランプパルスを供給するための第1駆動部102、下降ランプパルス及びスキャンパルスを供給するための第2駆動部106、及びパネルキャパシタCpのエネルギーを回収及び再供給するためのエネルギー回収回路104を備える。
【０００７】
選択回路110は、走査電極Yそれぞれに接続される。このような選択回路110はトランジスタSch、Sclのターンオン及びターンオフを制御しながら走査電極Yに供給される駆動波形(駆動電圧)を制御する。ここで、走査電極Yそれぞれに接続される選択回路110は、一般的に集積回路(Integrated  Circuit)形態で設置される。
【０００８】
第1駆動部102は、各サブフィールドのリセット期間の間上昇ランプパルスを選択回路110を経由して走査電極Yに供給する。すると、放電セルで複数の微細放電が発生し、この微細放電によって所定の壁電荷が形成される。このために、第1駆動部102は一つのトランジスタYrr、ダイオードDset、及びブースティングキャパシタCbを備える。
【０００９】
第2駆動部106は、上昇ランプパルスが供給された以後に下降ランプパルスを選択回路110を経由して走査電極Yに供給する。すると、上昇ランプパルスによって放電セルに形成された壁電荷の一部が消去される。下降ランプパルスによって放電セルに形成された壁電荷が一部消去されれば、アドレス期間の間余計に強い放電が発生することを防止することができる。そして、第2駆動部106は、各サブフィールドのアドレス期間の間走査電極Yにスキャンパルスを順次に供給する。このために、第2駆動部106はダイオードDsch、トランジスタYsch、Ysp、Yscan、Yfr、及びキャパシタCschを備える。
【００１０】
エネルギー回収回路104は、各サブフィールドのサステイン期間の間サステインパルスを供給する。実質的に、エネルギー回収回路104はパネルキャパシタCpに充電されたエネルギーを回収し、回収されたエネルギーを利用してサステインパルスを供給することで、消費電力を低減する。このようなエネルギー回収回路104は、トランジスタYr、Yf、Ys、Yg、Ypp、ダイオードYrpass、Yfpass、D1、D2及びインダクターLを備える。
【００１１】
一方、従来の走査駆動部は走査電極Yに負極性の電位を供給する時、負極性の電位が安定的に維持されるようにエネルギー回収回路104と選択回路110の間に位置する制御トランジスタYpnを追加で備える。制御トランジスタYpnは、走査電極Yに負極性の電圧が供給される時ターンオフされ、エネルギー回収回路104に不要な電流が流入することを防止し、これによって負極性の電圧が安定的に走査電極Yに供給されるようにする。
【００１２】
ここで、制御トランジスタYpnとしては図２に示されたようにトランジスタYrがターンオンされてサステインパルスが供給される時点の上昇電流、トランジスタYfがターンオンされてサステインパルスが下降される時点の下降電流、トランジスタYgがターンオンされる時流れるグラウンド電流、及びサステインパルスが安定的に維持されるようにサステイン電圧Vsが供給される時サステイン電流が流れる。
【００１３】
しかし、図２に示されたように多くの電流が制御トランジスタYpnを経由して供給されれば制御トランジスタYpnから高い熱が生成されるという問題点がある。実際に、制御トランジスタYpnの発熱による悪影響を防止するために付随的な放熱対策が追加されたりする。また、上述した電流によって制御トランジスタYpnが破損されることを防止するために、制御トランジスタYpnは複数のトランジスタで構成され、これによって製造コストが増加するという問題点が発生する。さらに、サステイン電圧Vsが制御トランジスタYpnを経由して供給されるので、すなわち、制御トランジスタYpnの高い発熱によってサステインパルスが歪曲される場合が発生したりする。
【特許文献１】特開２００５−３７６０７号公報
【特許文献２】特開２００６−５８４２６号公報
【特許文献３】韓国特許出願公開第１０−０５８１８９３号公報
【特許文献４】韓国特許出願公開第１０−０５９９６０８号公報
【特許文献５】韓国特許出願公開第１０−２００６−００９２０２８号公報
【発明の開示】
【発明が解決しようとする課題】
【００１４】
したがって、本発明の目的はスイッチの数を減らすと同時に発熱を減少させることができるようにしたプラズマ表示装置を提供することである。
【課題を解決するための手段】
【００１５】
前記目的を果たすために、本発明の実施形態による複数の走査電極及び維持電極を含むプラズマ表示装置において、前記走査電極それぞれに接続されて第1端に供給される電圧と第2端に供給される電圧を前記走査電極に選択的に印加する選択回路と、サステイン電圧源及び前記選択回路に接続されて、前記走査電極にサステインパルスを供給するためのエネルギー回収回路と、前記選択回路に接続されて、前記走査電極に上昇ランプパルス、下降ランプパルス、及びスキャンパルスを供給するための駆動部と、電流の流れを制御するための制御トランジスタを含み、前記制御トランジスタは前記エネルギー回収回路に含まれて前記サステイン電圧を前記選択回路に供給するための第2トランジスタと、基底電圧源の電圧を前記選択回路に供給するための第1トランジスタとの間に位置する。
【００１６】
望ましくは、前記駆動部は前記上昇ランプパルスを供給するための第1駆動部と、前記下降ランプパルス及びスキャンパルスを供給するための第2駆動部を備える。前記エネルギー回収回路は、前記走査電極及び維持電極によって等価的に形成されるパネルキャパシタからエネルギーを回収して充電するソースキャパシタと、前記ソースキャパシタに充電された電圧を前記パネルキャパシタに供給する時ターンオンされる第3トランジスタと、前記パネルキャパシタからエネルギーが回収される時ターンオンされる第4トランジスタと、前記パネルキャパシタと空振回路を形成するインダクターを備える。
【発明の効果】
【００１７】
上述したように、本発明の実施形態によるプラズマ表示装置によれば、サステイン電流が流れないように制御トランジスタの位置を設定するので、制御トランジスタの発熱を防止することができ、これによって製造コストを低減することができる。
【００１８】
また、本発明ではサステイン電圧が制御トランジスタを経由せずパネルキャパシタに供給されるので、サステインパルスの歪曲を防止することができる。
【発明を実施するための最良の形態】
【００１９】
以下、本発明の属する技術分野において通常の知識を有する者が本発明を容易に実施することができる望ましい実施形態を添付された図３ないし図６を参照して詳しく説明する。
【００２０】
図３は、本発明の実施形態によるプラズマ表示装置を示す図面である。
図３を参照すれば、本発明の実施形態によるプラズマ表示装置は表示パネル312、アドレス駆動部302、維持駆動部304、走査駆動部306、電源部308及び制御部310を備える。
【００２１】
表示パネル312はお互いに平行になるように形成される走査電極Y1ないしYn、及び維持電極X1ないしXnと、走査電極Y1ないしYnと交差される方向に形成されるアドレス電極A1ないしAmを備える。ここで、走査電極Y1ないしYn、維持電極X1ないしXn、及びアドレス電極A1ないしAmが交差される部分に放電セル314が位置する。放電セル314を成す電極Y、X、Aの構造は本発明の実施形態であり、本発明はこれに限定されない。
【００２２】
制御部310は、外部から映像信号の供給を受けてアドレス駆動部302、維持駆動部304、及び走査駆動部306を制御するための制御信号を生成する。ここで、制御部310は一フレームがリセット期間、アドレス期間、及びサステイン期間を持つ複数のサブフィールドに分割されて駆動されうるように制御信号を生成する。
【００２３】
アドレス駆動部302は、制御部310から供給される制御信号に対応してそれぞれのサブフィールドのアドレス期間の間アドレス電極A1ないしAmにデータパルスを供給して放電セル314を選択する。
【００２４】
維持駆動部304は、制御部310から供給される制御信号に対応してそれぞれのサブフィールドのサステイン期間の間維持電極X1ないしXnにサステインパルスを供給する。
【００２５】
走査駆動部306は、制御部310から供給される制御信号に対応して走査電極Y1ないしYnに供給される駆動波形を制御する。言い換えると、走査駆動部306は、各サブフィールドのリセット期間の間走査電極Y1ないしYnにランプパルスを供給して、アドレス期間の間スキャンパルスを順次に供給する。また、走査駆動部306は各サブフィールドのサステイン期間の間維持電極X1ないしXnと交番するようにサステインパルスを供給する。
【００２６】
電源部308は、プラズマ表示装置の駆動に必要な電源を制御部310及び駆動部302、304、306に供給する。
【００２７】
図４は、図３に示された走査駆動部306に供給される駆動波形を示す波形図である。
図４を参照すれば、リセット期間の間走査駆動部306は走査電極Yに上昇ランプパルス、及び下降ランプパルスを供給する。上昇ランプパルスが供給されれば放電セル314から複数の微細放電が発生して所定の壁電荷が形成される。
【００２８】
下降ランプパルスが供給されれば上昇ランプパルスによって放電セル314に生成された壁電荷の中で一部が消去される。下降ランプパルスによって放電セル314に形成された一部壁電荷が消去されればアドレス期間の間放電セル314から強放電が発生することを防止することができる。
【００２９】
アドレス期間の間走査駆動部306は走査電極Yにスキャンパルスを供給する。この時、アドレス駆動部302は表示しようとする階調に対応してアドレス電極A1ないしAmにデータパルスを供給する。すると、スキャンパルスとデータパルスの電圧差とリセット期間に生成された壁電圧が加わりながらデータパルスが供給された放電セル314からアドレス放電が発生する。アドレス放電が発生された放電セル314にはサステイン放電に必要な壁電荷が形成される。
【００３０】
サステイン期間の間走査駆動部306は、サステインパルスを走査電極Yに供給する。この時、維持駆動部304は走査電極Yに供給されるサステインパルスと交番するようにサステインパルスを維持電極Xに供給する。すると、アドレス放電によって選択された放電セル314内の壁電圧とサステインパルスの電圧が加わりながらサステイン放電が発生される。ここで、サステイン放電の回数はサステインパルスの供給回数によって決定される。
【００３１】
図５は、本発明の実施形態による走査駆動部を示す図面である。図５において、パネルキャパシタCpは、走査電極Yと維持電極Xによって形成される容量性成分を等価的に表現したものである。また、維持電極Xは、維持駆動部304と接続されるが、説明の便宜性のために基底電圧源GNDと接続されることを示す。
【００３２】
図５を参照すれば、本発明の実施形態による走査駆動部306は走査電極Yそれぞれに接続される選択回路510、上昇ランプパルスを供給するための第1駆動部502、下降ランプパルス及びスキャンパルスを供給するための第2駆動部506、及びパネルキャパシタCpのエネルギーを回収及び再供給するためのエネルギー回収回路504を備える。
【００３３】
選択回路510は、走査電極Yそれぞれに接続される。このような選択回路510はトランジスタSch、Sclのターンオン及びターンオフを制御しながら第1ノードN1(または第1端)、及び第2ノードN2(または第2端)に供給される電圧を選択的に走査電極Yに供給する。
【００３４】
第1駆動部502は、各サブフィールドのリセット期間の間上昇ランプパルスを選択回路510を経由して走査電極Yに供給する。このために、第1駆動部502はトランジスタYrr、ダイオードDset、及びブースティングキャパシタCbを備える。
【００３５】
ブースティングキャパシタCbの一端はエネルギー回収回路504に接続され、他端はダイオードDsetに接続される。このようなブースティングキャパシタCbは、リセット期間の間エネルギー回収回路504からサステイン電圧Vsの供給を受ける。したがって、リセット期間の間供給される上昇リセット電圧Vsetは、サステイン電圧Vsより高い電圧で供給される。ダイオードDsetは逆電流が流れることを防止する。
【００３６】
トランジスタYrrは、リセット期間中、上昇ランプパルスが供給される期間の間ターンオンされる。
【００３７】
第2駆動部506は、上昇ランプパルスが供給された以後に下降ランプパルスを選択回路510を経由して走査電極Yに供給する。また、第2駆動部506は、各サブフィールドのアドレス期間の間走査電極Yにスキャンパルスを順次に供給する。このために、第2駆動部506はダイオードDsch、トランジスタYsch、Ysp、Yscan、Yfr、キャパシタCsch、及びツェナーダイオードDzを備える。
【００３８】
下降ランプパルスが供給される時はトランジスタYfr、Sclがターンオンされる。すると、走査電極Yの電圧が徐徐に第2走査電圧Vscanまで下降される。
【００３９】
アドレス期間の間トランジスタYscan、Yschがターンオンされる。すると、第1ノードN1に第1走査電圧Vsc_hが印加され、第2ノードN2に第2走査電圧Vscanが印加される。この場合、選択回路510に含まれるトランジスタsch、sclの動作に対応して走査電極Yには第1走査電圧Vsc_h、及び第2走査電圧Vscanの中でいずれか一つの電圧が供給される。一方、第2駆動部506が駆動されて下降ランプパルスが供給される期間、及びアドレス期間の間制御トランジスタYpnはターンオフ状態を維持する。
【００４０】
エネルギー回収回路504は、各サブフィールドのサステイン期間の間サステインパルスを供給する。ここで、エネルギー回収回路504はパネルキャパシタCpに充電されたエネルギーを回収し、回収されたエネルギーを利用してサステインパルスを供給することで消費電力を低減する。このようなエネルギー回収回路504は、トランジスタYr、Yf、Ys、Ypp、Yg、ダイオードD1、D2、Yrpass、Yfpass、インダクターL、及びソースキャパシタCsを備える。
【００４１】
ソースキャパシタCsはサステイン期間の間パネルキャパシタCpからエネルギーを回収して電圧を充電し、充電された電圧をパネルキャパシタCpに再供給する。このために、ソースキャパシタCsは、サステイン電圧Vsの半分にあたる電圧を充電することができる容量を持つ。
【００４２】
インダクターLは、ソースキャパシタCsとパネルキャパシタCpの間に位置する。このようなインダクターLはパネルキャパシタCpのように空振回路を形成する。したがって、ソースキャパシタCsからパネルキャパシタCpに供給される電圧はほぼサステイン電圧Vsまで上昇する。
【００４３】
第3トランジスタYrは、インダクターLとソースキャパシタCsの間に位置する。このような第3トランジスタYrはソースキャパシタCsからパネルキャパシタCpに電圧が供給される時ターンオンされる。
【００４４】
第4トランジスタYfは、インダクターLとソースキャパシタCsの間に位置する。このような第4トランジスタYfは、パネルキャパシタCpからソースキャパシタCsにエネルギーが回収される時ターンオンされる。
【００４５】
第5トランジスタYs、及び第2トランジスタYppはサステイン電圧VsとパネルキャパシタCpの間に位置する。このような第5トランジスタYs、及び第2トランジスタYppはソースキャパシタCsからパネルキャパシタCpに電圧が1次供給された以後にターンオンされる。すると、パネルキャパシタCpにサステイン電圧Vsが供給されてサステイン放電が安定的に発生することができる。
【００４６】
第1トランジスタYgは、基底電圧源GNDとパネルキャパシタCpの間に位置する。このような第1トランジスタYgは、パネルキャパシタCpに基底電位が供給される時ターンオンされる。
【００４７】
制御トランジスタYpnは、第2トランジスタYppと第1トランジスタYgの間に位置する。このような制御トランジスタYpnは、第2ノードN2に負極性の電位が供給される時ターンオフされて不要な電流が流れることを防止し、これによって第2ノードN2の電位が安定的に負極性に維持されるようにする。
【００４８】
一方、本発明のように制御トランジスタYpnが第2トランジスタYppと第1トランジスタYgの間に位置すれば、図６に示されたように第3トランジスタYrがターンオンされてサステインパルスが供給される時点の上昇電流、第4トランジスタYfがターンオンされてサステインパルスが下降される時点の下降電流、第1トランジスタYgがターンオンされる時のグラウンド電流のみが制御トランジスタYpnに流れるようになる。すなわち、本発明の制御トランジスタYpnは従来に比べる時サステイン電圧Vsによるサステイン電流が流れない。
【００４９】
すると、制御トランジスタYpnの発熱を減少させることができるので制御トランジスタYpnの数を減少することができるという長所がある。また、制御トランジスタYpnの発熱が減少されれば放熱改善によって駆動回路が挿入されるボードのサイズを減らすこともできる。同時に、サステイン電圧Vsが制御トランジスタYpnを経由せずに供給されるからサステインパルスが歪曲されることを防止することができる。
【００５０】
以上添付した図面を参照して本発明について詳細に説明したが、これは例示的なものに過ぎず、当該技術分野における通常の知識を有する者であれば、多様な変形及び均等な他の実施形態が可能であるということを理解することができる。
【図面の簡単な説明】
【００５１】
【図１】従来の走査駆動部を示す図面である。
【図２】図１に示された走査駆動部から制御トランジスタに流れる電流を示す図面である。
【図３】本発明の実施形態によるプラズマ表示装置を示す図面である。
【図４】図３に示された走査駆動部に供給される駆動波形を示す図面である。
【図５】本発明の第1実施形態による走査駆動部を示す図面である。
【図６】図５に示された走査駆動部から制御トランジスタに流れる電流を示す図面である。
【符号の説明】
【００５２】
102、106、502、506  駆動部
104、504  エネルギー回収回路
110、510  選択回路
302  アドレス駆動部
304  維持駆動部
306  走査駆動部
308  電源部
310  制御部
312  表示パネル
314  放電セル
【図１】
2008129570.tif 000003
【図２】
2008129570.tif 000004
【図３】
2008129570.tif 000005
【図４】
2008129570.tif 000006
【図５】
2008129570.tif 000007
【図６】
2008129570.tif 000008